(57)【要約】【課題】ボトムガセットタイプのパウチ容器に比べてサイズを小さく抑えることができ、しかも、自立安定性に優れたパウチ容器を提供する。【解決手段】外装シート１１ａ、１１ｂ及びガセットシート１２、１２によって袋状に形成された容器本体１０と、容器本体１０に装着されるスパウト２０とから構成されている。容器本体１０の底部には、相互にヒートシールされた外装シート１１ａ、１１ｂ及びガセットシート１２、１２の下端部を切り欠くことで、中央脚部１０Ａ及び両側脚部１０Ｂ、１０Ｂが形成されており、中央脚部１０Ａを裏側に、両側脚部１０Ｂ、１０Ｂを表側に折り曲げることで、相互に逆方向に傾斜させてある。両側脚部１０Ｂ、１０Ｂは、外装シート１１ｂ及びガセットシート１２、１２によって形成されており、外装シート１１ｂにおけるガセットシート１２、１２とのヒートシール部分には、中央脚部１０Ａの基端部に罫線が形成されている。【選択図】        図３
2005263260.tif 000002
【特許請求の範囲】
【請求項１】
表裏一対の外装シート及び両外装シートの両側部から内側に折り込まれてサイドガセット部を形成する左右一対のガセットシートを備えたサイドガセットタイプのパウチ容器において、
ヒートシールされた前記外装シートの下端部を、中央脚部と両側脚部とに分離する切目または切欠を形成し、
相互に分離された前記中央脚部または前記両側脚部のいずれか一方を表側に、他方を裏側に折り曲げることによって、自立可能としたことを特徴とするパウチ容器。
【発明の詳細な説明】
【技術分野】
【０００１】
この発明は、清涼飲料等の液体飲料や食品、医薬品、医薬部外品等の液体や粘性体が充填されるパウチ容器、特に、小容量タイプに適したパウチ容器に関する。
【背景技術】
【０００２】
例えば、医薬部外品である５０ｃｃ程度の栄養飲料を充填する容器として、パウチ容器を採用する場合、図８に示すように、表裏一対の外装シート５１ａの両側部からガセットシート５１ｂが内側に折り込まれ、そのガセットシート５１ｂの周縁部が外装シート５１ａにヒートシールされると共に外装シート５１ａの上縁部及び下縁部が相互にヒートシールされることによって袋状に形成されたサイドガセットタイプの容器本体５１にスパウト５２が装着されたスパウト付きパウチ容器５０を小型化して使用することが考えられる。
【０００３】
ところで、容器本体５１がサイドガセットタイプのパウチ容器５０は、同図に示すように、相互にヒートシールされた外装シート５１ａの下端部を背面側に折り曲げることによって底部が形成されており、その折曲部分には常時スプリングバックによる復元力が作用しているので、一般的に自立安定性が悪く、特に、スプリングバックによる復元力に打ち勝つ十分な自重を確保することができない小容量のパウチ容器では、店頭の陳列棚等に起立させた状態で陳列することができないといった問題がある。また、スパウトが装着されたパウチ容器は、スパウトを装着するためにガセットシートの折込幅を大きくすることができないので、内容物を充填した状態におけるパウチ容器の厚み（膨らみ）を大きくすることができず、このことも自立安定性が得られない一つの要因となっている。
【０００４】
また、外装シート５１ａの下端部を折り曲げ易くするため、外装シート５１ａの折曲部分に切り込みや罫線等の折曲手段を設けることも考えられるが、こういった折曲手段を設けるだけでは、スプリングバックによる復元力を十分に抑えることができず、小容量のパウチ容器の場合は、十分な自立性を確保することができないのが現状である。
【０００５】
このため、こういった小容量のパウチ容器としては、上述したような容器本体５１がサイドガセットタイプのパウチ容器５０ではなく、図９に示すように、表裏一対の外装シート６１ａの下端部からガセットシート６１ｂが内側に折り込まれ、そのガセットシート６１ｂの周縁部が外装シート６１ａにヒートシールされると共に外装シート６１ａの上縁部及び両側縁部が相互にヒートシールされることによって袋状に形成された容器本体６１にスパウト６２が装着された、自立安定性に優れたボトムガセットタイプのスパウト付きパウチ容器６０が採用されている。
【０００６】
【特許文献１】特開平１０−７２０４４号公報
【特許文献２】特開２００１−１７１６８９号公報
【発明の開示】
【発明が解決しようとする課題】
【０００７】
しかしながら、容器本体６１の底部分にだけガセット部が形成されるボトムガセットタイプのスパウト付きパウチ容器６０は、容器本体５１の両側部にそれぞれガセット部が形成されるサイドガセットタイプのスパウト付きパウチ容器５０に比べて、内容量が小さくなるので、同容量のサイドガセットタイプのパウチ容器５０に比べて、容器本体６１のサイズが全体的に大きくなるといった問題がある。
【０００８】
そこで、この発明の課題は、ボトムガセットタイプのパウチ容器に比べてサイズを小さく抑えることができ、しかも、自立安定性に優れたパウチ容器を提供することにある。
【課題を解決するための手段】
【０００９】
上記の課題を解決するため、請求項１にかかる発明は、表裏一対の外装シート及び両外装シートの両側部から内側に折り込まれてサイドガセット部を形成する左右一対のガセットシートを備えたサイドガセットタイプのパウチ容器において、ヒートシールされた前記外装シートの下縁部を、中央脚部と両側脚部とに分離する切目または切欠を形成し、相互に分離された前記中央脚部または前記両側脚部のいずれか一方を表側に、他方を裏側に折り曲げることによって、自立可能としたことを特徴とするパウチ容器を提供するものである。
【００１０】
なお、ここにいう表裏一対の外装シート及び左右一対のガセットシートは、それぞれが分離独立しているものに限定されるものではなく、例えば、一方の外装シートに、一方のガセットシート、他方の外装シート、他方のガセットシートが順次連設された１枚のシートや、一方の外装シートの両側縁にガセットシートがそれぞれ連設された１枚のシートのように、外装シートとガセットシートとが予め連設されている１枚のシートを折り曲げた状態でヒートシールした後に、所定形状に打ち抜くことによって形成されたものも含まれる。
【発明の効果】
【００１１】
以上のように、請求項１にかかる発明のパウチ容器は、サイドガセットタイプであるので、ボトムガセットタイプのパウチ容器のように、サイズが大きくなることがなく、しかも、相互に逆方向に折り曲げた中央脚部と両側脚部とによって支えることができるので、内容物を充填しても十分な自重を確保することができない小容量タイプであっても、良好な自立安定性を確保することができる。
【発明を実施するための最良の形態】
【００１２】
以下、実施の形態について図面を参照して説明する。図１〜図３に示すように、このパウチ容器１は、フレキシブルシートによって袋状に形成された容器本体１０と、この容器本体１０に取り付けられる熱接着性樹脂によって形成されたスパウト２０とから構成されており、容器本体１０の底部には、中央脚部１０Ａ及び両側脚部１０Ｂ、１０Ｂが設けられている。
【００１３】
前記容器本体１０は、図４（ａ）、（ｂ）に示すように、ポリエチレンテレフタレートによって形成された厚さ１２μｍの基材層に、厚さ１５μｍのエチレンビニルアルコール共重合体フィルムや厚さ７μｍのアルミニウム箔によって形成されたガスバリア層、ポリアミドによって形成された厚さ１５μｍの補強層及びポリエチレンによって形成された厚さ１００μｍのシーラント層が順次積層された４層構造の表裏一対の外装シート１１ａ、１１ｂと、両外装シート１１ａ、１１ｂの両側部から内側に折り込まれて左右のサイドガセット部を形成する、シーラント層の厚みが７０μｍである点を除いて、外装シート１１ａ、１１ｂと同一構造の左右一対のガセットシート１２、１２とから構成されており、表裏一対の外装シート１１ａ、１１ｂの両側縁と左右一対のガセットシート１２、１２の両側縁とが相互にヒートシールされると共に、表裏一対の外装シート１１ａ、１１ｂの下端部が、相互にまたは左右一対のガセットシート１２、１２の下端部にそれぞれヒートシールされることによって、袋状に形成されている。このようにして形成された容器本体１０は、その上端側が開口されているが、容器本体１０にスパウト２０を装着する際に、容器本体１０の上縁部分がヒートシールされることによって、閉塞されるようになっている。なお、同図（ａ）、（ｂ）における網掛け表示部分が、容器本体１０のヒートシール部分を示している。
【００１４】
また、図４（ａ）、（ｂ）に示すように、二つ折りされた状態のガセットシート１２における合わせ目縁側の上側角部には、切欠部１２ａが形成されており、図３に示すように、この切欠部１２ａを介して、表裏一対の外装シート１１ａ、１１ｂ同士が相互にポイントシール（ヒートシール）されるようになっている。このように、ガセットシート１２に切欠部１２ａを形成したのは、表裏一対の外装シート１１ａ、１１ｂの上縁部の両端を相互に固着することによって、内容物を充填したときの容器本体１０を所定の形状（図１及び図２参照）に保持するためである。
【００１５】
また、前記中央脚部１０Ａ及び両側脚部１０Ｂ、１０Ｂは、図４（ａ）、（ｂ）に示すように、相互にヒートシールされた外装シート１１ａ、１１ｂ及びガセットシート１２、１２の下端部を切り欠くことによって形成されており、図１〜図３に示すように、中央脚部１０Ａを裏側に、両側脚部１０Ｂ、１０Ｂを表側にそれぞれ折り曲げることによって、相互に逆方向に傾斜させてある。
【００１６】
切欠部Ｃ、Ｃの外側に形成されている両側脚部１０Ｂ、１０Ｂについては、図４（ａ）に一点鎖線で示すように、表側の外装シート１１ａとガセットシート１２、１２とのヒートシール部分における切欠部Ｃ、Ｃに相当する部分を含む下端コーナ部が全体的に切除されており、両側脚部１０Ｂ、１０Ｂは、下端コーナ部が切除されている外装シート１１ａ側、即ち、表側に折れ曲がり易くなっている。
【００１７】
また、裏側の外装シート１１ｂにおけるガセットシート１２、１２とのヒートシール部分には、同図（ｂ）に示すように、切欠部Ｃ、Ｃの内側に形成されている中央脚部１０Ａの基端部における幅方向の両端からガセットシート１２、１２の折込縁まで延びる、内側に窪ませた罫線Ｌ、Ｌが形成されており、この罫線Ｌ、Ｌの存在によって、中央脚部１０Ａは、罫線Ｌ、Ｌが形成されている外装シート１１ｂ側、即ち、裏側に折れ曲がり易くなっている。
【００１８】
前記スパウト２０は、ポリエチレンやポリプロピレン等により形成され、袋状の容器本体１０に取り付けられる固着部２１と、この固着部２１の上部に設けられた、スクリューキャップ２２によって開閉可能な飲口または注口となる口部と、固着部２１の下部に設けられた、容器本体１０内に充填された内容物を吸い上げ易くする棒状体（図示せず）とから構成されており、棒状体が容器本体１０内に挿入された状態で、固着部２１の側面が容器本体１０の上縁部にヒートシールされている。
【００１９】
以上のように、このパウチ容器１は、袋状の容器本体１０がサイドガセットタイプであるので、容器本体がボトムガセットタイプのパウチ容器のように、全体的に容器本体１０のサイズが大きくなることがなく、しかも、相互に逆方向に傾斜させた中央脚部１０Ａと両側脚部１０Ｂ、１０Ｂとによって支えることができるので、容器本体がサイドガセットタイプの一般的なパウチ容器に比べて良好な自立安定性を確保することができる。従って、内容物を充填しても十分な自重を確保することができない小容量タイプのパウチ容器に有効である。
【００２０】
また、このパウチ容器１は、上述したように、相互にヒートシールされた外装シート１１ａ、１１ｂ及びガセットシート１２の下端部を切り欠くことによって、中央脚部１０Ａ及び両側脚部１０Ｂ、１０Ｂを形成するようにしたので、容器本体１０を製袋する際に同時に中央脚部１０Ａ及び両側脚部１０Ｂ、１０Ｂを形成することができ、中央脚部１０Ａ及び両側脚部１０Ｂ、１０Ｂを有するパウチ容器１を効率よく製造することが可能となる。
【００２１】
なお、上述した実施形態では、相互にヒートシールされた外装シート１１ａ、１１ｂ及びガセットシート１２の下端部を切り欠くことによって、中央脚部１０Ａ及び両側脚部１０Ｂ、１０Ｂを形成するようにしているが、これに限定されるものではなく、例えば、図５（ａ）、（ｂ）に示すように、切欠部Ｃ、Ｃに代えて、切目Ｃ１、Ｃ１を形成することも可能である。ただし、切目Ｃ１、Ｃ１を採用した場合は、中央脚部１０Ａ及び両側脚部１０Ｂ、１０Ｂを逆方向に折り曲げる際、相互に引っかかるおそれがあるので、切欠部Ｃ、Ｃを採用しておくことが望ましい。
【００２２】
また、上述した実施形態では、表側の外装シート１１ａとガセットシート１２、１２とのヒートシール部分における下端コーナ部を全体的に切除することによって、両側脚部１０Ｂ、１０Ｂを表側に折れ曲がり易くしているが、これに限定されるものではなく、図６（ａ）、（ｂ）に示すように、表側の外装シート１１ａとガセットシート１２、１２とのヒートシール部分における下端コーナ部を全体的に切除することなく、切欠部Ｃだけを形成し、裏側の外装シート１１ｂにおけるガセットシート１２、１２とのヒートシール部分に罫線Ｌ、Ｌを形成している中央脚部１０Ａと同様に、ガセットシート１２、１２がヒートシールされている表側の外装シート１１ａにおける両側脚部１０Ｂ、１０Ｂの基端部に、同様の罫線Ｌ１、Ｌ１を形成することによって、両側脚部１０Ｂ、１０Ｂを表側に折れ曲がり易くすることも可能である。
【００２３】
また、上述した各実施形態では、ヒートシール部分の内縁における最下縁に沿って、中央脚部１０Ａや両側脚部１０Ｂ、１０Ｂを折り曲げることができるように、ヒートシール部分の内縁における最下縁付近まで延びる、切欠部Ｃや切目Ｃ１を形成しているが、これに限定されるものではなく、例えば、図７（ａ）、（ｂ）に示すように、ヒートシール部分の内縁における最下縁付近まで至らない垂直な切目Ｃ２、Ｃ２を形成し、ガセットシート１２、１２がヒートシールされている表側の外装シート１１ａにおける両側脚部１０Ｂ、１０Ｂの基端部に罫線Ｌ２、Ｌ２を形成すると共に、ガセットシート１２、１２がヒートシールされている裏側の外装シート１１ｂにおける中央脚部１０Ａの基端部に罫線Ｌ３を形成することによって、中央脚部１０Ａや両側脚部１０Ｂ、１０Ｂをヒートシール部分で折り曲げるようにしてもよい。
【００２４】
また、中央脚部１０Ａや両側脚部１０Ｂ、１０Ｂを折り曲げ易くするための手段としては、上述したような罫線に限られず、中央脚部１０Ａや両側脚部１０Ｂ、１０Ｂに、一方向に湾曲し易くするためのエンボス模様や刻印をヒートシールによって施してもよい。
【００２５】
また、上述した実施形態では、袋状の容器本体１０にスパウト２０が装着されたパウチ容器１について説明したが、これに限定されるものではなく、スパウトのないパウチ容器についても本発明を適用することができることはいうまでもない。
【図面の簡単な説明】
【００２６】
【図１】この発明にかかるパウチ容器の一実施形態を正面側から視た斜視図である。
【図２】同上のパウチ容器を背面側から視た斜視図である。
【図３】同上のパウチ容器を示す側面図である。
【図４】（ａ）は同上のパウチ容器を構成している容器本体を示す正面図、（ｂ）は同上の容器本体を示す背面図である。
【図５】（ａ）は他の実施形態であるパウチ容器を構成している容器本体を示す部分正面図、（ｂ）は同上の容器本体を示す部分背面図である。
【図６】（ａ）は他の実施形態であるパウチ容器を構成している容器本体を示す部分正面図、（ｂ）は同上の容器本体を示す部分背面図である。
【図７】（ａ）は他の実施形態であるパウチ容器を構成している容器本体を示す部分正面図、（ｂ）は同上の容器本体を示す部分背面図である。
【図８】一般的なサイドガセットタイプのパウチ容器を示す斜視図である。
【図９】従来の小容量タイプのパウチ容器を示す斜視図である。
【符号の説明】
【００２７】
１  パウチ容器
１０  容器本体
１０Ａ  中央脚部
１０Ｂ  両側脚部
１１ａ、１１ｂ  外装シート
１２  ガセットシート
２０  スパウト
２１  固着部
２２  スクリューキャップ
Ｃ  切欠部
Ｃ１、Ｃ２  切目
Ｌ、Ｌ１、Ｌ２、Ｌ３  罫線
【図１】
2005263260.tif 000003
【図２】
2005263260.tif 000004
【図３】
2005263260.tif 000005
【図４】
2005263260.tif 000006
【図５】
2005263260.tif 000007
【図６】
2005263260.tif 000008
【図７】
2005263260.tif 000009
【図８】
2005263260.tif 000010
【図９】
2005263260.tif 000011